(57)【要約】      （修正有）【課題】コンクリート打ち込み時に床開口部を形成するボイド管の蓋及びコンクリート硬化後の床開口部の養生蓋として使用可能であり、コンクリート床に流れ込む雨水を排水することも可能な養生蓋(あるいはボイド管の蓋)を提供する。【解決手段】コンクリート構造物の床開口部を閉塞する養生蓋１０は、養生蓋１０の上面１１のいずれかに設けられる凹状形状の集水部１５と、養生蓋１０の下面に上面１１の集水部１５を囲むように設けられる中空のボイド管との結合溝部と、を備え、養生蓋１０の上面１１に小突起１３が集水部１５を囲むように１つ又は複数配置され、養生蓋１０の上面１１が養生蓋１０の外周部１２側から集水部１５に向かって下るように傾斜している。【選択図】図１
2018188867.tif 000002
【特許請求の範囲】
【請求項１】
コンクリート構造物の床開口部を閉塞する養生蓋であって、
前記養生蓋の上面のいずれかに設けられる凹形状の集水部と、
前記養生蓋の下面に前記上面の集水部を囲むように設けられる円柱状又は角柱状型枠との結合部と、
を備える養生蓋。
【請求項２】
更に、前記養生蓋の上面に小突起が前記集水部を囲むように１つ又は複数配置される請求項１に記載の養生蓋。
【請求項３】
更に、前記養生蓋の上面が該養生蓋の外周部側から前記集水部に向かって下るように傾斜している請求項１又は２に記載の養生蓋。
【発明の詳細な説明】
【技術分野】
【０００１】
本発明は、コンクリート構造物等の構造物の開口部を覆って作業の安全を図る養生蓋に関し、特に床等の雨水を排水可能とした養生蓋に関する。
【背景技術】
【０００２】
マンション等のコンクリート構造物ではガス管、給水管、排水管、電気配線等を上下に通すためにコンクリート床に開口部が設けられる。この開口部を形成するためコンクリート打ち込みの際の型枠として紙製のボイド管が用いられる。ボイド管は、上端部が蓋（ボイド管キャップ）で覆われて、コンクリート床中に埋設される。コンクリートが硬化した後、コンクリート床の一部(ボイド管上部)を破壊してボイド管が取り出されてコンクリート床を上下方向に貫通する柱状空間である開口部が形成される。例えば特許文献１にはボイド管の両端を閉止して柱状空間を形成する「ボイド・キャップ」の例が示されている。
【０００３】
コンクリート床に開口部が形成された後はこの開口部に作業員や工具・資材等が落下しないように作業安全を図る必要がある。このため床の開口部を覆う養生蓋が用いられる。更に、ビルやマンションの建築の途中では上層階や屋根が完成していない状態でも作業を行っている。このような状態で雨が降ると、雨水が床の開口部から階下に漏水してしまう。そこで、特許文献２及び３では、養生蓋に開口部を密閉する機構を設けて止水性をもたせている。
【先行技術文献】
【特許文献】
【０００４】
【特許文献１】特開平８−１５１７９１号公報
【特許文献２】特開２００８−３１７０９号公報
【特許文献３】特開２０１５−１１０８６１号公報
【発明の概要】
【発明が解決しようとする課題】
【０００５】
上述のように、コンクリート構造物の床開口部の形成に関連してボイド管の蓋と養生蓋の２つの蓋が用いられており、これが一つの蓋で済めば都合がよい。また、床の開口部を全て止水機能を備える養生蓋で覆うと階下への漏水は防止可能となるが、コンクリート床上に雨水が溜まるので排水作業が必要となる。例えばマンション等のコンクリート構造物では居住領域の床下配管を容易にしたり、床に段差のないバリアフリーとする等のために床下配管が設けられる場所のコンクリート床面の高さを周囲よりも一段階低く形成する場合がある。このような床面の低い場所には雨水が溜まり易く、溜まった雨水がコンクリートを浸透して階下に漏水する、雨水の排水作業が必要になる等の不具合が生じ得る。
【０００６】
そこで、本発明はコンクリート打ち込み時の床開口部を形成するボイド管の蓋及びコンクリート硬化後の床開口部の養生蓋として使用可能であり、コンクリート床に流れ込む雨水を排水することも可能な養生蓋(あるいはボイド管の蓋)を提供することを目的とする。
また、本発明はボイド管の蓋として使用する際のコンクリートの一部破壊やコンクリート打ち込みの際に生じるコンクリート残渣等の異物が雨水によって移動して排水機能を低下させることを回避可能とした排水機能を備える養生蓋(あるいはボイド管の蓋)を提供することを目的とする。
【課題を解決するための手段】
【０００７】
上記課題を解決するため、本発明は、コンクリート等の構造物の床開口部を閉塞する養生蓋において、上記養生蓋の上面のいずれかに設けられる凹形状の集水部と、上記養生蓋の下面に上記上面の集水部を囲むように設けられる中空の柱状型枠との結合部と、を備える。ここで、柱状型枠には中空の円柱（円筒）、中空の多角柱（三角柱、四角柱、五角柱、六角柱…等）が含まれる。結合部は柱状型枠との嵌合溝、柱状型枠の端部を挟持する機構、柱状型枠端部の養生蓋へのネジ止め等によって構成することができる。
かかる構成とすることによって、一つの養生蓋をコンクリート等の打ち込みの際の柱状枠体の蓋、コンクリート等の構造物の開口部を閉塞する養生蓋、コンクリート等の構造物上に降った雨水の排水蓋として機能させることが可能となる。
【０００８】
好ましくは、更に、上記養生蓋の上面に小突起が上記集水部を囲むように１つ又は複数配置される。小突起は集水部を囲むように環状の突起を１つ又は複数配置してもよい。当該配置は同心円状や螺旋状の配置であってもよい。また、複数の小突起を集水部を囲むように１つ又は複数配置してもよい。この配置は、同心円状、螺旋状の配置やマトリクス状の配置であってもよい。また、集水部の周りにランダムに配置してもよい。小突起は残渣阻止部となり、例えば、１〜５ｍｍ程度の高さである。それにより、構造物の構築過程で生じるコンクリート残渣等の異物の雨水による移動が止められる。小突起の高さは養生蓋の幅あるいは直径、養生蓋上面の傾斜角度、養生蓋の材質、残渣の大きさ・重さ、雨水量等を考慮して決定することができ、上記数値に限定されるものではない。雨水による異物の養生蓋集水部への堆積、排水パイプの詰まり等が防止可能となる。
【０００９】
好ましくは、更に、上記養生蓋の上面が該養生蓋の外周部側から上記集水部に向かって下るように傾斜している。それにより、養生蓋の周囲の雨水を集水部に集めることが可能となる。例えば、傾斜は１度から５度程度にすることができるが、これに限定されるものではない。
【００１０】
好ましくは、上記養生蓋は、更に、上記集水部を覆う集水部キャップを備える。それにより、コンクリート打ち込みの際にコンクリートが集水部に入り込むことを簡単に防止することが可能となる。
【００１１】
好ましくは、上記養生蓋は、更に、上記集水部に接続される可撓性の排水パイプを備える。それにより、コンクリート等の構造物の開口部に流れ込んだ雨水を他の場所に導出することができる。
【発明の効果】
【００１２】
本発明によれば、一つの養生蓋をコンクリート等の打ち込みの際の柱状枠体の蓋、コンクリート等の構造物の開口部を閉塞する養生蓋、コンクリート等の構造物上に降った雨水の排水蓋として機能させることが可能となる。構造物構築の資材・作業工数等が減少するので具合が良い。
【図面の簡単な説明】
【００１３】
【図１】本発明の養生蓋の第１の実施形態を説明する斜視図である。
【図２】養生蓋内のリムを説明する斜視図である。
【図３】養生蓋の底面（下面）側の構造を説明する説明図である。
【図４】図４（Ａ）は図１及び図３に示す養生蓋のＡ−Ａ’方向における断面を説明する説明図、図４（Ｂ）は、図１及び図３に示す養生蓋のＢ−Ｂ’方向における断面を説明する説明図である。
【図５】本発明の養生蓋をボイド管の蓋として使用する例を説明する説明図である。
【図６】本発明の養生蓋をコンクリート床開口部を覆う養生蓋及び雨水の排水蓋として使用する例を説明する説明図である。
【図７】養生蓋に設けられて残渣の流入を阻止する残渣阻止部の構成例を説明する説明図である。
【図８】残渣阻止部の他の構成例を説明する説明図である。
【図９】養生蓋の他の構成例を説明する説明図である。
【図１０】養生蓋の他の構成例を説明する説明図である。
【図１１】図１１（Ａ）は図１０に示す養生蓋のＡ−Ａ’方向における断面を説明する説明図、図１１（Ｂ）は、図１０に示す養生蓋のＢ−Ｂ’方向における断面を説明する説明図である。
【図１２】本発明の養生蓋の第２の実施形態を説明する説明図である。
【図１３】図１２に示す養生蓋の底面（下面）側の構造を説明する説明図である。
【図１４】図１２及図１３に示す養生蓋のＡ−Ａ’方向における断面を説明する説明図である。
【発明を実施するための形態】
【００１４】
以下、本発明の実施の形態について図面を参照して説明する。各図において対応する部分には同一符号を付し、重複する説明は省略する。
【００１５】
(実施形態１)
図１乃至図１１に記載された養生蓋は本発明の第１の実施形態を構成する。この実施形態では円筒状のボイド管の蓋としても使用可能な排水機能を備える養生蓋の例を示している。
図１及び図２は、本発明の養生蓋１０を斜め上方から見た斜視図である。図２中には養生蓋１０の内部に設けられた板状のリム１６、円筒状のリム１７が点線で示されている。図３は養生蓋１０の底面図である。図４は養生蓋１０の二方向における断面図、図５及図６は養生蓋１０の使用状態を説明する説明図である。図７及び図８は養生蓋１０の残渣阻止部１３の構成例を示す説明図である。
【００１６】
図１乃至図４に示すように、養生蓋１０は、概略、円柱状あるいは円盤状の外形にに構成されている。これは円筒状のボイド管４０（図５参照）の蓋あるいは円柱状の床貫通口の養生蓋として用いられるためである。後述のように、角柱状のボイド管に対しては角柱状の養生蓋１０が提供されている。
円盤状の養生蓋１０は、大別して、円板状の蓋上面部１１、円筒状の蓋側面部１２、蓋下面部１４、蓋上面部１１のいずれかの位置好ましくは中央部に配置される、上面が蓋上面部１１側で開口し底面中央位置に設けられた排水口１９が蓋下面部１４側で開口し、側面が円筒状である(断面が凹状の)集水部１５、集水部１５から養生蓋１０の径方向に延在する板状の複数の径方向リム１６、蓋下面部１４側に集水部１５を囲むように設けられる環状あるいは円筒状の周方向リム１７等によって構成される。周方向リム１７は、例えば後述の図１０及び１１に示すように複数配置することができる。リム１６、１７を設けることによって養生蓋１０の上方からの荷重に対する強度を保ちつつ、軽量化、材料の節約を図ることが可能となる。
【００１７】
図３及図４に示すように、蓋下面部１４側の円筒状の周方向リム１７と円筒状の側面部１２との隙間は環状の溝を形成し、ボイド管４０と結合する結合溝部１８を構成する。結合溝部１８の寸法は使用するボイド管４０の管径に対応して設定される。この結合溝部１８の両側の壁面に、図示しない小突起を複数設けて結合溝部１８に挿入されるボイド管４０を凹状構造で挟持することができる。また、結合溝部１８内の両壁面に溝底部に向かって溝幅が狭くなるようにテーパーを設けて結合溝部１８に挿入されたボイド管４０を嵌合(あるいは挟持)するようにすることができる。また、図示しないが、ボイド管４０の端部を養生蓋１０の溝１８に挿入し側面部１２又は周方向リム１７にネジ、ピン等の係止部材で固定してもよい。これ等は結合溝部１８と共に結合部を構成する。
【００１８】
集水部１５の蓋上面部１１側の開口縁は上面部１１の平坦面から僅かに上方に突出し、環状の小突起をなして残渣阻止部１３を構成する。突起の高さは、例えば上面１１より１〜５ｍｍ程度であるがこの数値に限定されるものではない。高さが１ｍｍ程度であれば集水部１５への雨水流入の妨げとならず、５ｍｍ程度であればコンクリート残渣等の異物を阻止し易くなる。この高さは突起部分の形状、配置、突起数、養生蓋１０の上面１１の直径、傾斜等を考慮して適宜に設定される。後述のように環状の残渣阻止部１３に適宜に隙間を空けることによって突起の高さを高くしても雨水の流入を妨げないようにすることができる(図７及び図８参照)。
【００１９】
養生蓋１０をボイド管４０の閉塞蓋として使用する場合、養生蓋１０はボイド管と共にコンクリートで埋設されるので集水部１５の開口部は集水部キャップ２０で閉塞することが望ましい。コンクリート打ち込みの際に集水部１５内にコンクリートが入り込むことを防止することができる。なお、集水部キャップ２０の代わりにガムテープなどで開口部を閉塞してもよい。
【００２０】
養生蓋１０の蓋上面部１１は、図４(Ａ)及び同(Ｂ)の断面図に示すように養生蓋１０の側面部１２側から集水部１５に向かって下るように傾斜していることが望ましい。上面傾斜によって雨水の集水が促進される。上面部１１の水平面からの傾斜角度θは、雨水を集水部１５に流すと共に異物が集水部１５に移動しにくいように考慮して適宜に定める。例えば、１〜５度程度とすることができる。なお、雨水が溜まる床では雨水量により養生蓋１０の外部から集水部１５に向かって雨水が流れるので、後述の図９に示すように傾斜角度θが０度であってもよい。
【００２１】
養生蓋１０は、ポリエチレン、ポリプロピレン、ポリ塩化ビニール、ポリメチルメタアクリル、ポリカーボネート、ポリエチレンテレフタレート等の各種プラスチック材料を適宜選択して射出成形することによって製造可能であるが、これ等に限定されるものではない。例えば金属等のプレス加工、切削加工、３Ｄ印刷技術等によっても製造可能である。
【００２２】
(使用例)
養生蓋１０はボイド管４０の端部の閉塞蓋として使用される。また、コンクリート等の構造物の床開口部を閉塞して作業者や工具等の落下を防止する養生蓋として使用される。
図５は、コンクリート打ち込みの際に養生蓋１０をボイド管４０の端部の閉塞蓋(ボイド管キャップ)として使用する例を説明する説明図である。
同図に示されるように床の型枠５０の床穴形成位置にボイド管４０が配置され、図示しない金具などによって固定される。例えば、実公平７−５２８８８号公報に「スリーブ固定金具」が紹介されているがそのようなものに限定されない。作業者は、養生蓋１０にホース取付具３０を取付け、ボイド管４０と養生蓋１０とを結合し、養生蓋１０の集水部１５に集水部蓋２０を取り付ける。コンクリートの打ち込みを行ってボイド管４０と養生蓋１０を埋設し、コンクリート表面を平らに仕上げる。数日するとコンクリートが硬化し、コンクリート床６０が形成される。
【００２３】
図６は、養生蓋１０をコンクリート床６０の形成後に床開口部６２を閉塞する蓋として再度使用する例を説明する説明図である。
上記コンクリート床６０の形成後、作業者は、養生蓋１０の直上のコンクリートを破壊して除去し、養生蓋１０をボイド管４０から取り外し、埋設された紙製のボイド管４０をツールを用いて破壊してコンクリート中から取り出す。床型枠５０が取り外され、ボイド管４０の跡はコンクリート床６０を貫通する床開口部６２となる。作業者は集水部蓋２０を外し、養生蓋１０のホース取付具３０に排水ホース７０の一端を取り付け、養生蓋１０を床開口部６２に取り付ける。養生蓋１０の蓋側面部１２とコンクリート床６０との隙間を防水パテによって塞ぎ、排水ホース７０の他端を図示しない階下居室の排水管や屋外の排水溝等に導出する。
このように構成するとコンクリート床６０に降った雨水は養生蓋１０から階下に導かれ、雨水の滞留が回避される。
以上のように本発明の第１の実施形態によれば、一つの養生蓋１０が、ボイド管キャップ、養生蓋及び排水蓋として使用される。
【００２４】
図７は、残渣阻止部１３の他の構成例を説明する説明図である。既述したように、残渣阻止部１３は集水部１５の開口部縁に環状に構成することができるが、同図に示すように、一つの環状の残渣阻止部１３を残渣の流入を阻止する突起した阻止部１３ａと雨水を流す突起のない隙間部１３ｂとを複数設けて構成している。阻止部１３ａと隙間部１３ｂの数は、現場試験等によって適宜に定めることができる。このような構成とすれば突起の高さを高くしても雨水を堰き止めことがない。異物流入を阻止しつつ雨水が残渣阻止部１３に溜まることを回避可能となる。
【００２５】
図８は、残渣阻止部１３の更に他の構成例を説明する説明図である。この例では集水部１５を囲むように複数の環状の残渣阻止部１３を同心円状に設け、各残渣阻止部１３を阻止部１３ａと隙間部１３ｂで構成している。残渣阻止部１３を複数設けるとコンクリート残渣や建築の際に生じるゴミ等などの異物の集水部１５への流込みをより効果的に阻止することが期待できる。
【００２６】
残渣阻止部１３の突起の配置は同心円状に限られるものでない。螺旋状の配置であってもよい。四角形(多角形)状の配置であってもよい。マトリクス状の配置であってもよい。複数の柱状(円柱、多角柱、円環等)の小突起を集水部１５を囲むように１つ又は複数配置してもよい。また、集水部の周りにランダムに配置してもよい。突起の配置は養生蓋１０の上に堆積されるコンクリートの除去がし易いものに決めると具合が良い。
【００２７】
図９は、図４に示す養生蓋１０の上面部１１を傾斜θを設けない平坦面で構成する例を示している。図６に示すようにコンクリート床面よりも養生蓋上面部１１が一段階低くなるので平坦面でも周囲のコンクリート床面から上面部１１に雨水が流れ込み、集水部１５に流れ込む。集水部の水は排水パイプ７０(図６参照)を介して排水場所に導出される。
【００２８】
図１０及び図１１は、図３に示す養生蓋１０にリムを追加して荷重に対する機械的強度を増加させる例を示している。図１０は養生蓋１０の底面図であり、下面部１４側に環状の周方向リム１７が一つ追加されている。機械的強度を増加させるために径方向リム１６及び周方向リム１７を適宜な数だけ配置することができる。また、機械的強度を増加させるため径方向リム１６及び周方向リム１７の高さ及び幅を適宜な寸法に設定することができる。
【００２９】
(実施形態２)
図１２乃至図１４に記載された養生蓋は本発明の第２の実施形態を構成する。この実施形態では角柱状のボイド管の蓋としても使用可能な排水機能を備える養生蓋の例を示している。図１２は、本発明の養生蓋１０を上方から見た平面図である。図１３は養生蓋１０の底面図である。図１４は、図１２及び図１３に示された養生蓋１０のＡ−Ａ’方向における断面図である。各図において実施形態１と対応する部分には同一符号を付しており、かかる部分の説明は省略する。
【００３０】
図１２に示すように、養生蓋１０は四角形（角形）の柱状ボイド管に対応して外形(側面部１２の輪郭)が四角形（角形）となっている。養生蓋１０の蓋上面部１１側の中央部には底部に開口１９が形成されたした円筒状の集水部１５が設けられる。集水部１５を養生蓋１０の外形に合わせて四角柱状に形成しても良い。この場合にはリム１６、１７を格子状に配置することができる。
集水部１５の周りには同心円状の配置で環状の残渣阻止部１３が一つ又は複数設けられている。図示の例では二つである。各残渣阻止部１３は複数の突起部１３ａ及び隙間部１３ｂを備えている。既述したように、残渣阻止部１３の数、突起部１３ａ及び隙間部１３ｂの数は適宜に設定される。
【００３１】
図１３に示すように、養生蓋１０の下面部１４側は、四角形のボイド管に対応して養生蓋１０の側面部１２、周方向リム１７ａ及び結合溝部１８が四角形に形成されている。
図１４に示すように、第二の実施形態の養生蓋１０においても第一の実施形態の養生蓋１０と同様に養生蓋１０の上面部１２を外周側から集水部１５に向かって傾斜させている。更に、この傾斜面に残渣阻止部１３を一つ又は複数設けている。
【００３２】
上述した実施形態の技術的要素は適宜に組み合わせることができる。例えば、養生蓋１０の上面部１１の傾斜の有無、残渣阻止部１３の数、養生蓋１０の外形、養生蓋１０内のリムの配置方向、リムの数、ボイド管と養生蓋の結合方法、集水部１５の形状等々を適宜に組み合わせることができる。
【００３３】
なお、本発明の養生蓋はボイド管の蓋及び床開口部の養生蓋として使用できるものであり、養生蓋としても使用可能なボイド管等の蓋はたとえ名称が異なっていたとしても実施形態の養生蓋と同等のものであるから本件に特許権が成立した場合にはその効力が同等の構成を備えるボイド管等の蓋(ボイド管キャップ)にも及び得ることに注意すべきである。また、ボイド管は紙製の筒であるが、プラスチック製の筒であってもよい。共にコンクリートスラブのスリーブ（コンクリート床穴の中空の柱状型枠）として使用することが可能である。
【００３４】
以上説明したように、本発明の実施形態によればコンクリート構造物のコンクリート打ち込み時に床に開口部を形成するために使用するボイド管の蓋、コンクリート床硬化後の床の開口部の養生蓋として使用可能であり、更にコンクリート床に流れ込む雨水を排水することも可能とした養生蓋を得ることが可能となる。また、養生蓋の上面が傾斜しているので雨水を効果的に集めることができる。養生蓋の上面に残渣阻止部が設けられて傾斜によって移動しやすくなったコンクリート残渣等の異物の養生蓋内部への流込みが阻止されるので集水部や排水ホースの詰まりが回避されて具合が良い。
【符号の説明】
【００３５】
１０…養生蓋、１１…蓋上面部、１２…蓋側面部、１３…残渣阻止部、１３ａ…突起部、１３ｂ…隙間部、１４…蓋下面部、１５…集水部、１６…径方向リム、１７…周方向リム、１８…結合溝部、１９…底部開口、２０…集水部キャップ、３０…ホース取付具、４０…ボイド管、５０…床型枠、６０…コンクリート、６２…コンクリート床開口部、排水ホース…７０、８０…防水パテ 
【図１】
2018188867.tif 000003
【図２】
2018188867.tif 000004
【図３】
2018188867.tif 000005
【図４】
2018188867.tif 000006
【図５】
2018188867.tif 000007
【図６】
2018188867.tif 000008
【図７】
2018188867.tif 000009
【図８】
2018188867.tif 000010
【図９】
2018188867.tif 000011
【図１０】
2018188867.tif 000012
【図１１】
2018188867.tif 000013
【図１２】
2018188867.tif 000014
【図１３】
2018188867.tif 000015
【図１４】
2018188867.tif 000016